(57)【要約】【課題】  縁材から脱落することのないコーナーカバーを簡易に提供すること。【解決手段】  コーナーカバー２０において、一対の縁材１０の端面１１同士の上記間隙に挟み込まれ、それらの縁材１０の室内に臨む表面１２の側から壁面に対する裏面１３の側に向けて延在される本体部２１と、本体部２１に接合され、一対の縁材１０の表面１２を被覆する表面被覆部２２と、本体部２１に接合され、各縁材１０の裏面１３と壁面との間に配置され、各縁材１０の裏面１３に当接する裏面当接部２３とを有し、表面被覆部２２と裏面当接部２３が、各縁材１０を表面１２の側と裏面１３の側とから挟持し、壁面に垂直をなす水平方向と、壁面に沿う鉛直方向の二方向でのそれらの縁材１０に対する動きを規制するもの。【選択図】  図４
2015135037.tif 000002
【特許請求の範囲】
【請求項１】
壁面の入隅又は出隅のコーナーで、一対の廻り縁又は幅木である縁材の端面同士の突き合わせ間隙を覆うコーナーカバーにおいて、
一対の縁材の端面同士の上記間隙に挟み込まれ、それらの縁材の室内に臨む表面の側から壁面に対する裏面の側に向けて延在される本体部と、
本体部から延在し、一対の縁材の表面を被覆する表面被覆部と、
本体部から延在し、各縁材の裏面と壁面との間に配置され、各縁材の裏面に当接する裏面当接部とを有し、
表面被覆部と裏面当接部が、各縁材を表面の側と裏面の側とから挟持し、壁面に垂直をなす水平方向と、壁面に沿う鉛直方向の二方向でのそれらの縁材に対する動きを規制することを特徴とするコーナーカバー。
【請求項２】
壁面の出隅の面取りコーナーで、一対の廻り縁又は幅木である縁材の端面同士の突き合わせ間隙を覆うコーナーカバーにおいて、
一対の縁材の端面同士の上記間隙に挟み込まれ、それらの縁材の室内に臨む表面の側から壁面に対する裏面の側に向けて延在される本体部と、
本体部から延在し、一対の縁材の表面を被覆する表面被覆部と、
本体部から延在し、各縁材の裏面と壁面との間に配置され、各縁材の裏面に当接する裏面当接部とを有し、
表面被覆部と裏面当接部が、各縁材を表面の側と裏面の側とから挟持し、壁面に垂直をなす水平方向と、壁面に沿う鉛直方向の二方向でのそれらの縁材に対する動きを規制するとともに、
本体部に支持され、各縁材の裏面が壁面における上記面取りコーナーの面取り部との間に形成する空洞部を、該面取り部に沿う鉛直方向視で塞ぐ空洞塞ぎ部を有してなることを特徴とするコーナーカバー。
【請求項３】
前記裏面当接部が、各縁材の裏面で壁面に対して斜交配置される裏面傾斜部に当接し、各縁材の表面に被着される表面被覆部との間で該縁材を挟持してなる請求項１又は２に記載のコーナーカバー。
【請求項４】
前記表面被覆部が、各縁材の長手方向に連続する曲面状の表面に被着される曲面を備えてなる請求項１〜３のいずれかに記載のコーナーカバー。
【請求項５】
前記表面被覆部が、各縁材の表面の長手方向に連続するように設けた凹部に係合する凸部を備え、それらの縁材の表面に被着される請求項１〜４のいずれかに記載のコーナーカバー。
【請求項６】
前記裏面当接部が、各縁材をそれらの相対する他方の縁材との突き合せ方向に誘導し、該縁材の端面を前記本体部に対する挟み込み位置に位置付けるガイド部を備えてなる請求項１〜５のいずれかに記載のコーナーカバー。
【発明の詳細な説明】
【技術分野】
【０００１】
本発明は、壁面の入隅又は出隅のコーナーで、一対の廻り縁又は幅木である縁材の端面同士の突き合わせ間隙を覆うコーナーカバーに関する。
【背景技術】
【０００２】
従来のコーナーカバーとして、特許文献１、２に記載のものがある。
【０００３】
特許文献１に記載のコーナーカバーは、一対の縁材の端面同士の間隙に挿入される挿入部と、挿入部の両側に延び、縁材の外表面に一致した翼部とで構成される。そして、コーナーカバーは、縁材が上下両端部で天井面と壁面のそれぞれとの間に形成する上下の係合溝にそれぞれ係合し嵌合する上下のフランジを翼部の上下両端部に備えてなる。コーナーカバーは、上フランジを上係合溝に係合することにより、縁材から鉛直方向への脱落を防止し、下フランジを下係合溝に係合することにより、縁材から水平方向への脱落を防止している。
【０００４】
特許文献２に記載のコーナーカバーは、一対の縁材の突き合せ部の表面を被覆する表面被覆部と、縁材の裏面と壁面との間に配置されて表面被覆部とともに縁材を挟持する挟持羽根部と、一対の縁材の端面を仕切るように鉛直方向に沿って延在し、挟持羽根部を支持する羽根支持部とを有している。コーナーカバーは、表面被覆部と挟持羽根部との間で縁材を挟持することにより、縁材から水平方向への脱落を防止し、表面被覆部の内側面に形成された係合凸部を縁材の表面に形成されている凹溝に係合することにより、縁材から鉛直方向への脱落を防止している。
【先行技術文献】
【特許文献】
【０００５】
【特許文献１】特開2001-98755
【特許文献２】特開2011-208468
【発明の概要】
【発明が解決しようとする課題】
【０００６】
特許文献１に記載のコーナーカバーでは、上下のフランジを縁材が上下両端部に形成した上下の係合溝に係合することで、縁材からの鉛直方向と水平方向への脱落を防止しようとするものである。しかしながら、コーナーカバーの上下のフランジが係合するように縁材に設けた上下の係合溝は該縁材の表面側から外界に臨んで形成されるものであり、縁材の表面側から外方へのコーナーカバーの剥離、ひいては脱落を完全に防止することに困難がある。
【０００７】
特許文献２に記載のコーナーカバーでは、縁材から鉛直方向への脱落を防止する構造として、縁材の表面に脱落防止用凹溝を格別に形成しておく必要があり、縁材にとって重要な表面形状の選定自由度を狭める。
【０００８】
また、一対の縁材の端面同士が壁面の出隅の面取りコーナーで突き合わされたときには、各縁材が直線状をなして上記面取りコーナーの面取り部の面前にて交差し、各縁材の直線状の裏面が上記面取りコーナーの面取り部との間に、該面取り部に沿う鉛直方向視で三角状の空洞部を形成する。上記面取りコーナーの面取り部は、居住者が出隅のコーナーに衝突したときの安全を図るものである。
【０００９】
ここで、従来のコーナーカバーによって両縁材の端面同士の突き合せ間隙を覆うようにしても、このコーナーカバーによっては上記空洞部を塞ぐところがない。このため、縁材である廻り縁を壁面に沿う下方から上方に見上げたり、縁材である幅木を壁面に沿う上方から下方に見下ろすと、上記の三角状の空洞部がコーナーカバーの裏側にて天井面又は床面の側にまで深く延在して見えるものになる。このことは、そのような深い空洞部の存在が覗き見えるものになって居室の美観を損なうとともに、そのような深い空洞部が塵埃等の異物の侵入カ所になって居室の環境を損なう。
【００１０】
本発明の課題は、縁材から脱落することのないコーナーカバーを簡易に提供することにある。
【００１１】
本発明の他の課題は、縁材が壁面の出隅の面取りコーナーとの間に形成する空洞部を簡易に塞ぐことにある。
【課題を解決するための手段】
【００１２】
請求項１に係る発明は、壁面の入隅又は出隅のコーナーで、一対の廻り縁又は幅木である縁材の端面同士の突き合わせ間隙を覆うコーナーカバーにおいて、一対の縁材の端面同士の上記間隙に挟み込まれ、それらの縁材の室内に臨む表面の側から壁面に対する裏面の側に向けて延在される本体部と、本体部から延在し、一対の縁材の表面を被覆する表面被覆部と、本体部から延在し、各縁材の裏面と壁面との間に配置され、各縁材の裏面に当接する裏面当接部とを有し、表面被覆部と裏面当接部が、各縁材を表面の側と裏面の側とから挟持し、壁面に垂直をなす水平方向と、壁面に沿う鉛直方向の二方向でのそれらの縁材に対する動きを規制するようにしたものである。
【００１３】
請求項２の発明は、壁面の出隅の面取りコーナーで、一対の廻り縁又は幅木である縁材の端面同士の突き合わせ間隙を覆うコーナーカバーにおいて、一対の縁材の端面同士の上記間隙に挟み込まれ、それらの縁材の室内に臨む表面の側から壁面に対する裏面の側に向けて延在される本体部と、本体部から延在し、一対の縁材の表面を被覆する表面被覆部と、本体部から延在し、各縁材の裏面と壁面との間に配置され、各縁材の裏面に当接する裏面当接部とを有し、表面被覆部と裏面当接部が、各縁材を表面の側と裏面の側とから挟持し、壁面に垂直をなす水平方向と、壁面に沿う鉛直方向の二方向でのそれらの縁材に対する動きを規制するとともに、本体部に支持され、各縁材の裏面が壁面における上記面取りコーナーの面取り部との間に形成する空洞部を、該面取り部に沿う鉛直方向視で塞ぐ空洞塞ぎ部を有してなるようにしたものである。
【００１４】
請求項３に係る発明は、請求項１又は２に係る発明において更に、前記裏面当接部が、各縁材の裏面で壁面に対して斜交配置される裏面傾斜部に当接し、各縁材の表面に被着される表面被覆部との間で該縁材を挟持してなるようにしたものである。
【００１５】
請求項４に係る発明は、請求項１〜３のいずれかに係る発明において更に、前記表面被覆部が、各縁材の長手方向に連続する曲面状の表面に被着される曲面を備えてなるようにしたものである。
【００１６】
請求項５に係る発明は、請求項１〜４のいずれかに係る発明において更に、前記表面被覆部が、各縁材の表面の長手方向に連続するように設けた凹部に係合する凸部を備え、それらの縁材の表面に被着されるようにしたものである。
【００１７】
請求項６に係る発明は、請求項１〜５のいずれかに係る発明において更に、前記裏面当接部が、各縁材をそれらの相対する他方の縁材との突き合せ方向に誘導し、該縁材の端面を前記本体部に対する挟み込み位置に位置付けるガイド部を備えてなるようにしたものである。
【発明の効果】
【００１８】
（請求項１）
(a)コーナーカバーは、本体部に表面被覆部と裏面当接部とを接合して構成され、表面被覆部と裏面当接部が、各縁材を表面の側と裏面の側とから挟持し、壁面に垂直をなす水平方向と、壁面に沿う鉛直方向の二方向でのそれらの縁材に対する動きを規制する。従って、コーナーカバーは、縁材の表面に格別の脱落防止用凹溝等を設けることのない簡易な構成により、縁材の表面側から外方（水平方向及び鉛直方向を含むあらゆる方向）への剥離、ひいては脱落を完全に防止できる。
【００１９】
（請求項２）
(b)コーナーカバーが本体部に支持される空洞塞ぎ部を有する。これにより、一対の縁材の突き合せ間隙にコーナーカバーを設けるだけで直ちに、このコーナーカバーが有する空洞塞ぎ部により、各縁材の裏面が壁面における面取りコーナーの面取り部との間に形成する空洞部を簡易に塞ぐものになる。従って、縁材である廻り縁を壁面に沿う下方から上方に見上げたり、縁材である幅木を壁面に沿う上方から下方に見下ろすとき、上記の空洞部はコーナーカバーの空洞塞ぎ部によって塞がれていて、該空洞部がコーナーカバーの裏側にて天井面又は床面の側にまで深く延在して見える如くがない。これにより、そのような深い空洞部の存在が覗き見えるものになって居室の美観を損なうことがないし、そのような深い空洞部が塵埃等の異物の侵入カ所になって居室の環境を損なうこともない。
【００２０】
（請求項３）
(c)コーナーカバーの裏面当接部が、各縁材の裏面で壁面に対して斜交配置される裏面傾斜部に当接し、各縁材の表面に被着される表面被覆部との間で該縁材を挟持する。裏面当接部は、単純な構造によって、各縁材の裏面傾斜部に水平方向と鉛直方向で当接するものになり、表面被覆部との協働下で、水平方向と鉛直方向の２方向の動きを規制するようにそれらの縁材を挟持する。
【００２１】
（請求項４）
(d)コーナーカバーの表面被覆部が、各縁材の長手方向に連続する曲面状の表面に被着される曲面を備える。表面被覆部は、単純な構造によって、各縁材の曲面状の表面に水平方向と鉛直方向で係合するにものになり、裏面当接部との協働下で、水平方向と鉛直方向の２方向の動きを規制するようにそれらの縁材を挟持する。
【００２２】
（請求項５）
(e)コーナーカバーの表面被覆部が、各縁材の表面の長手方向に連続するように設けた凹部に係合する凸部を備え、それらの縁材の表面に被着される。表面被覆部は、単純な構造によって、各縁材の表面に設けた凹部に水平方向と鉛直方向で係合するにものになり、裏面当接部との協働下で、水平方向と鉛直方向の２方向の動きを規制するようにそれらの縁材を挟持する。
【００２３】
（請求項６）
(f)コーナーカバーの裏面当接部が、各縁材をそれらの相対する他方の縁材との突き合せ方向に誘導し、該縁材の端面を前記本体部に対する挟み込み位置に位置付けるガイド部を備える。一対の縁材の突き合せ部にコーナーカバーを組付ける際に、一方の縁材の端面にコーナーカバーの本体部の一側面を当ててこれをテープ等で仮止めしてから、このコーナーカバーの裏面当接部に設けたガイドにより他方の縁材の裏面を沿わせて該縁材を上記突き合せ部にスムースに誘導できる。これにより、他方の縁材の端面をコーナーカバーの本体部の他側面に当て、それらの両縁材の端面同士の間隙（突き合せ間隙）に該本体部を挟み込み保持し得るものになる。
【図面の簡単な説明】
【００２４】
【図１】図１は実施例１において一対の縁材の突き合せ間隙に挟み込まれる入隅用コーナーカバーの組付構造を示す模式正面図である。
【図２】図２は一方の縁材を取外して示した図１のII−II線に沿う矢視図である。
【図３】図３はコーナーカバーと縁材の取付過程を示し、（Ａ）は模式斜視図、（Ｂ）は（Ａ）のＢ−Ｂ線に沿う矢視図である。
【図４】図４はコーナーカバーと縁材の取付過程を示す模式平面図である。
【図５】図５は図２のＶ方向の矢視図である。
【図６】図６はコーナーカバーを示す背面斜視図である。
【図７】図７は実施例２において一対の縁材の突き合せ間隙に挟み込まれる出隅用コーナーカバーの組付構造を示す模式正面図である。
【図８】図８は一方の縁材を取外して示した図７のVIII−VIII線に沿う矢視図である。
【図９】図９はコーナーカバーと縁材の取付過程を示す模式斜視図である。
【図１０】図１０はコーナーカバーと縁材の取付過程を示す模式平面図である。
【図１１】図１１は実施例３において一対の縁材の突き合せ間隙に挟み込まれる入隅用コーナーカバーの組付構造を示す模式正面図である。
【図１２】図１２は一方の縁材を取外して示した図１１のXII−XII線に沿う矢視図である。
【図１３】図１３はコーナーカバーと縁材の取付過程を示す模式斜視図である。
【図１４】図１４はコーナーカバーと縁材の取付過程を示す模式平面図である。
【図１５】図１５は図１２のXV方向の矢視図である。
【図１６】図１６は実施例４において一対の縁材の突き合せ間隙に挟み込まれる出隅用コーナーカバーの組付構造を示す模式正面図である。
【図１７】図１７は一方の縁材を取外して示した図１６のXVII−XVII線に沿う矢視図である。
【図１８】図１８はコーナーカバーと縁材の取付過程を示す模式斜視図である。
【図１９】図１９はコーナーカバーと縁材の取付過程を示す模式平面図である。
【図２０】図２０は実施例５において一対の縁材の突き合せ間隙に挟み込まれる出隅用コーナーカバーの組付構造を示す模式正面図である。
【図２１】図２１はコーナーカバーを示す斜視図である。
【図２２】図２２はコーナーカバーを示す正面図である。
【図２３】図２３はコーナーカバーを示す平面図である。
【図２４】図２４はコーナーカバーを示す底面図である。
【図２５】図２５はコーナーカバーを示す右側面図である。
【図２６】図２６はコーナーカバーを示す左側面図である。
【図２７】図２７は天井を省略した状態で上方から見た図であり、壁面の出隅の面取りコーナーに対するコーナーカバーと縁材の取付状態を示す模式平面図である。
【図２８】図２８は壁面の出隅の面取りコーナーに対するコーナーカバーと縁材の取付状態を斜め下方から見上げて示す模式斜視図である。
【図２９】図２９は実施例６において一対の縁材の突き合せ間隙に挟み込まれる出隅用コーナーカバーの組付構造を示す模式正面図である。
【図３０】図３０はコーナーカバーを示す斜視図である。
【図３１】図３１はコーナーカバーを示す正面図である。
【図３２】図３２はコーナーカバーを示す平面図である。
【図３３】図３３はコーナーカバーを示す底面図である。
【図３４】図３４はコーナーカバーを示す右側面図である。
【図３５】図３５はコーナーカバーを示す左側面図である。
【図３６】図３６は天井を省略した状態で上方から見た図であり、壁面の出隅の面取りコーナーに対するコーナーカバーと縁材の取付状態を示す模式平面図である。
【図３７】図３７は壁面の出隅の面取りコーナーに対するコーナーカバーと縁材の取付状態を斜め下方から見上げて示す模式斜視図である。
【発明を実施するための形態】
【００２５】
（実施例１）（図１〜図５）
図１、図２は、壁面１の入隅のコーナーで、一対の廻り縁である縁材１０、１０の端面１１同士の突き合せ間隙Ｇを入隅用コーナーカバー２０により被覆した施工構造を示し、図２は一方の縁材１０を取外して示したものである。図２において、１は壁面、２は天井面を示し、壁面１と天井面２の交差する位置には、縁材１０が少なくとも壁面１又は天井面２に化粧釘や接着剤等で取付けられる（本実施例では化粧釘と接着剤が併用される）。
【００２６】
縁材１０は、プラスチック等から形成され、図３に示す如くの長尺状をなす。縁材１０は、長手方向に対して45度に切断された端面１１を備え、一対の縁材１０、１０の端面１１同士が間隙を介して突き合され、壁面１や天井面２に取付けられる。縁材１０の表面１２は、長手方向に連続する曲面状をなす。縁材１０の裏面１３は、壁面１に添設される裏面鉛直部１３Ａと、天井面２に添設される裏面水平部１３Ｂと、裏面鉛直部１３Ａと裏面水平部１３Ｂの間で壁面１に対して例えば45度をなすように斜交配置される裏面傾斜部１３Ｃとを備える。
【００２７】
コーナーカバー２０は、図１〜図５に示す如く、本体部２１と表面被覆部２２と裏面当接部２３とを有して構成される。
【００２８】
コーナーカバー２０の本体部２１は、一対の縁材１０、１０の端面１１同士の上記突き合せ間隙Ｇに挟み込まれる薄板状をなす。本体部２１は、それらの縁材１０、１０の室内に臨む表面１２の側に位置する表面側（室内側）から、壁面１に相対する裏面１３の側に位置する裏面側（反室内側）に向けて延在される。コーナーカバー２０は、本体部２１の一側面を一方の縁材１０の端面１１に当て、本体部２１の他側面を他方の縁材１０の端面１１に当てて、それらの縁材１０、１０の端面１１同士の突き合せ間隙Ｇに挟み込まれるものになる。コーナーカバー２０は、施工性向上のために、本体部２１の両側面のそれぞれに入隅用であることを示す「入」の文字が表記され、上方を示す矢印が表記される。
【００２９】
コーナーカバー２０の表面被覆部２２は、本体部２１の表面側（室内側）において、縁材１０の表面１２に倣う該本体部２１の外縁部に接合され、該本体部２１の外縁部の全域で該本体部２１の両側面のそれぞれに135度の交差角をなして外方に張り出る翼２２Ａを備える。このとき、表面被覆部２２の翼２２Ａは、各縁材１０の長手方向に連続する曲面状の表面１２に被着される曲面をなす。これにより、表面被覆部２２は、本体部２１が一対の縁材１０、１０の端面１１同士の突き合せ間隙Ｇに前述の如くに挟み込まれた状態で、一方の翼２２Ａにより一方の縁材１０の端面１１沿いの表面１２を被覆し、他方の翼２２Ａにより他方の縁材１０の端面１１沿いの表面１２を被覆し、結果として上述の突き合せ間隙Ｇを看者の目から隠す。
【００３０】
コーナーカバー２０の裏面当接部２３は、本体部２１の裏面側（反室内側）において、縁材１０の裏面１３に倣う該本体部２１の外縁部に接合される。本実施例では、コーナーカバー２０の裏面当接部２３が、本体部２１の裏面側（反室内側）において、縁材１０の裏面１３における裏面傾斜部１３Ｃに倣う該本体部２１の傾斜状外縁部に接合され、該傾斜状外縁部から該本体部２１の両側面のそれぞれに45度の交差角をなして外方に大きく張り出る羽根板２３Ａを備える。即ち、裏面当接部２３は、各縁材１０の裏面１３で壁面１に対して斜交配置される裏面傾斜部１３Ｃに羽根板２３Ａを当接させ、各縁材１０の表面１２に被着される表面被覆部２２との間で該縁材１０を挟持する。これにより、裏面当接部２３は、本体部２１が一対の縁材１０、１０の端面１１同士の突き合せ間隙Ｇに前述の如くに挟み込まれた状態で、壁面１と天井面２の交差する位置に取付けられた一対の縁材１０、１０の裏面１３と壁面１との間に配置され、各縁材１０の裏面１３における端面１１沿いの裏面傾斜部１３Ｃに当接する。
【００３１】
従って、コーナーカバー２０は、本体部２１が一対の縁材１０、１０の端面１１同士の突き合せ間隙Ｇに前述の如くに挟み込まれた状態で、表面被覆部２２と裏面当接部２３が、各縁材１０を表面１２の側と裏面１３の側とから挟持し、壁面１に垂直をなす水平方向と、壁面１に沿う鉛直方向の２方向でのそれらの縁材１０に対する動きを規制する。
【００３２】
尚、縁材１０の表面１２が長手方向に連続する凹部１２Ｋを備えるとき、コーナーカバー２０の表面被覆部２２はその凹部１２Ｋに係合する凸部２２Ｋを備え、それらの縁材１０の表面１２に被着されても良い。本実施例では、コーナーカバー２０の曲面をなす翼２２Ａの一部に凸部２２Ｋが形成される。これによっても、表面被覆部２２と裏面当接部２３は、各縁材１０を表面１２の側と裏面１３の側とから挟持し、壁面１に垂直をなす水平方向と、壁面１に沿う鉛直方向の２方向でのそれらの縁材１０に対する動きを規制するものになる。
【００３３】
更に、コーナーカバー２０にあっては、裏面当接部２３が、図３（Ｂ）、図６に示す如く、本体部２１の両側に張り出るように設けた前述の羽根板２３Ａにおいて、縁材１０の裏面傾斜部１３Ｃが当接する該羽板２３Ａ上にて複数条をなすリブ状ガイド部２４を備える。各ガイド部２４は本体部２１の両側に張り出る羽根板２３Ａ上で互いに平行をなすように相並ぶリブ状をなす。これらのリブ状ガイド部２４は、図５に示す如く、各縁材１０の裏面傾斜部１３Ｃを当接させて、各縁材１０をそれらの相対する他方の縁材１０との突き合せ方向Ｐに誘導し、該縁材１０の端面１１を本体部２１に対する挟み込み位置に位置付ける。各リブ状ガイド部２４は、縁材１０の突き合せ端面１１を誘導開始する先端面を上記突き合せ方向Ｐの反対方向に向けて拡開する斜め面取部２４Ａを備え、縁材１０を誘導容易とすることができる（斜め面取部２４Ａが羽根板２３Ａに対し鋭角をなす）。
【００３４】
コーナーカバー２０の施工手順は以下の通りになる。
(1)壁面１の入隅のコーナーで突き合わされる一対の縁材１０、１０のうち、一方の縁材１０が壁面１と天井面２の交差する位置に取付けられる。本実施例では、一方の縁材１０の裏面１３における裏面鉛直部１３Ａが壁面１に添設されて化粧釘や接着剤等で取付けられ、裏面１３における裏面水平部１３Ｂが天井面２に添設されて化粧釘や接着剤等で取付けられる。
【００３５】
(2)上述(1)の一方の縁材１０の端面１１に、コーナーカバー２０の本体部２１の一側面を当ててこれをテープ等で仮止めする。このとき、コーナーカバー２０の表面被覆部２２の翼２２Ａが上記一方の縁材１０の端面１１沿いの表面１２を被覆し、裏面当接部２３の羽根板２３Ａが上記一方の縁材１０の端面１１沿いの裏面１３における裏面傾斜部１３Ｃに当接する。
【００３６】
(3)上述(1)のコーナーカバー２０の裏面当接部２３に設けたリブ状ガイド部２４に、他方の縁材１０の裏面１３を添わせて、この他方の縁材１０を上述(2)の一方の縁材１０との突き合せ方向に誘導し、該他方の縁材１０の端面１１をコーナーカバー２０の本体部２１の他側面に当て該本体部２１に対する挟み込み位置に位置付ける。このとき、コーナーカバー２０の表面被覆部２２の翼２２Ａが上記他方の縁材１０の端面１１沿いの表面１２を被覆し、裏面当接部２３の羽根板２３Ａが上記他方の縁材１０の端面１１沿いの裏面１３における裏面傾斜部１３Ｃに当接する。これにより、両縁材１０、１０の端面１１同士の突き合せ間隙Ｇにコーナーカバー２０の本体部２１を挟み込み保持し、前述の突き合せ間隙Ｇを看者の目から隠すものになる。
【００３７】
(4)上述(3)の他方の縁材１０が壁面１と天井面２の交差する位置に取付けられる。本実施例では、他方の縁材１０の裏面１３における裏面鉛直部１３Ａが壁面１に添設されて化粧釘や接着剤等で取付けられ、裏面１３における裏面水平部１３Ｂが天井面１２に添設されて化粧釘や接着剤等で取付けられる。
【００３８】
本実施例によれば以下の作用効果を奏する。
(a)コーナーカバー２０は、本体部２１に表面被覆部２２と裏面当接部２３とを接合して構成され、表面被覆部２２と裏面当接部２３が、各縁材１０を表面１２の側と裏面１３の側とから挟持し、壁面に垂直をなす水平方向と、壁面に沿う鉛直方向の二方向でのそれらの縁材１０に対する動きを規制する。従って、コーナーカバー２０は、縁材１０の表面１２に格別の脱落防止用凹溝等を設けることのない簡易な構成により、縁材１０の表面１２側から外方（水平方向及び鉛直方向を含むあらゆる方向）への剥離、ひいては脱落を完全に防止できる。
【００３９】
(b)コーナーカバー２０の裏面当接部２３が、各縁材１０の裏面１３で壁面に対して斜交配置される裏面傾斜部１３Ｃに当接し、各縁材１０の表面１２に被着される表面被覆部２２との間で該縁材１０を挟持する。裏面当接部２３は、単純な構造によって、各縁材１０の裏面傾斜部１３Ｃに水平方向と鉛直方向で当接するものになり、表面被覆部２２との協働下で、水平方向と鉛直方向の２方向の動きを規制するようにそれらの縁材１０を挟持する。
【００４０】
(c)コーナーカバー２０の表面被覆部２２が、各縁材１０の長手方向に連続する曲面状の表面１２に被着される曲面を備える。表面被覆部２２は、単純な構造によって、各縁材１０の曲面状の表面１２に水平方向と鉛直方向で係合するにものになり、裏面当接部２３との協働下で、水平方向と鉛直方向の２方向の動きを規制するようにそれらの縁材１０を挟持する。
【００４１】
(d)コーナーカバー２０の表面被覆部２２が、各縁材１０の表面１２に設けた凹部１２Ｋに係合する凸部２２Ｋを備え、それらの縁材１０の表面１２に被着される。表面被覆部２２は、単純な構造によって、各縁材１０の表面１２に設けた凹部１２Ｋに水平方向と鉛直方向で係合するにものになり、裏面当接部２３との協働下で、水平方向と鉛直方向の２方向の動きを規制するようにそれらの縁材１０を挟持する。
【００４２】
(e)コーナーカバー２０の裏面当接部２３が、各縁材１０をそれらの相対する他方の縁材１０との突き合せ方向に誘導し、該縁材１０の端面を前記本体部２１に対する挟み込み位置に位置付けるガイド部２４を備える。一対の縁材１０の突き合せ部にコーナーカバー２０を組付ける際に、一方の縁材１０の端面にコーナーカバー２０の本体部２１の一側面を当ててこれをテープ等で仮止めしてから、このコーナーカバー２０の裏面当接部２３に設けたガイド部２４により他方の縁材１０の裏面１３を沿わせて該縁材１０を上記突き合せ部にスムースに誘導できる。これにより、他方の縁材１０の端面をコーナーカバー２０の本体部２１の他側面に当て、それらの両縁材１０の端面同士の間隙（突き合せ間隙Ｇ）に該本体部２１を挟み込み保持し得るものになる。
【００４３】
（実施例２）（図７〜図１０）
実施例２は、実施例１におけると同一の縁材１０（端面１１、表面１２、裏面１３、裏面鉛直部１３Ａ、裏面水平部１３Ｂ、裏面傾斜部１３Ｃを備える）を用いた壁面１の出隅のコーナーに、出隅用コーナーカバー３０を用いたことにある。
【００４４】
図７、図８は、壁面１の出隅のコーナーで、一対の廻り縁である縁材１０、１０の端面１１同士の突き合せ間隙Ｇを出隅用コーナーカバー３０により被覆した施工構造を示し、図８は一方の縁材１０を取外して示したものである。図８において、１は壁面、２は天井面を示し、壁面１と天井面２の交差する位置には、縁材１０が少なくとも壁面１又は天井面２に化粧釘や接着剤等で取付けられる。
【００４５】
コーナーカバー３０は、図７〜図１０に示す如く、本体部３１と表面被覆部３２と裏面当接部３３とを有して構成される。
【００４６】
コーナーカバー３０の本体部３１は、一対の縁材１０、１０の端面１１同士の上記突き合せ間隙Ｇに挟み込まれる薄板状をなす。本体部３１は、それらの縁材１０、１０の室内に臨む表面１２の側に位置する表面側（室内側）から、壁面１に相対する裏面１３の側に位置する裏面側（反室内側）に向けて延在される。コーナーカバー３０は、本体部３１の一側面を一方の縁材１０の端面１１に当て、本体部３１の他側面を他方の縁材１０の端面１１に当てて、それらの縁材１０、１０の端面１１同士の突き合せ間隙Ｇに挟み込まれるものになる。コーナーカバー３０は、施工性向上のために、本体部３１の両側面のそれぞれに出隅用であることを示す「出」の文字が表記され、上方を示す矢印が表記される。
【００４７】
コーナーカバー３０の表面被覆部３２は、本体部３１の表面側（室内側）において、縁材１０の表面１２に倣う該本体部３１の外縁部に接合され、該本体部３１の外縁部の全域で該本体部３１の両側面のそれぞれに45度の交差角をなして外方に張り出る翼３２Ａを備える。このとき、表面被覆部３２の翼３２Ａは、各縁材１０の長手方向に連続する曲面状の表面１２に被着される曲面をなす。これにより、表面被覆部３２は、本体部３１が一対の縁材１０、１０の端面１１同士の突き合せ間隙Ｇに前述の如くに挟み込まれた状態で、一方の翼３２Ａにより一方の縁材１０の端面１１沿いの表面１２を被覆し、他方の翼３２Ａにより他方の縁材１０の端面１１沿いの表面１２を被覆し、結果として上述の突き合せ間隙Ｇを看者の目から隠す。
【００４８】
コーナーカバー３０の裏面当接部３３は、本体部３１の裏面側（反室内側）において、縁材１０の裏面１３に倣う該本体部３１の外縁部に接合される。本実施例では、コーナーカバー３０の裏面当接部３３が、本体部３１の裏面側（反室内側）において、縁材１０の裏面１３における裏面傾斜部１３Ｃに倣う該本体部３１の傾斜状外縁部に接合され、該傾斜状外縁部から該本体部３１の両側面のそれぞれに135度の交差角をなして外方に大きく張り出る羽根板３３Ａを備える。即ち、裏面当接部３３は、各縁材１０の裏面１３で壁面１に対して斜交配置される裏面傾斜部１３Ｃに羽根板３３Ａを当接させ、各縁材１０の表面１２に被着される表面被覆部３２との間で該縁材１０を挟持する。これにより、裏面当接部３３は、本体部３１が一対の縁材１０、１０の端面１１同士の突き合せ間隙Ｇに前述の如くに挟み込まれた状態で、壁面１と天井面２の交差する位置に取付けられた一対の縁材１０、１０の裏面１３と壁面１との間に配置され、各縁材１０の裏面１３における端面１１沿いの裏面傾斜部１３Ｃに当接する。
【００４９】
従って、コーナーカバー３０は、本体部３１が一対の縁材１０、１０の端面１１同士の突き合せ間隙Ｇに前述の如くに挟み込まれた状態で、表面被覆部３２と裏面当接部３３が、各縁材１０を表面１２の側と裏面１３の側とから挟持し、壁面１に垂直をなす水平方向と、壁面１に沿う鉛直方向の２方向でのそれらの縁材１０に対する動きを規制する。
【００５０】
尚、縁材１０の表面１２が長手方向に連続する凹部１２Ｋを備えるとき、コーナーカバー３０の表面被覆部３２はその凹部１２Ｋに係合する凸部３２Ｋを備え、それらの縁材１０の表面１２に被着されても良い。本実施例では、コーナーカバー３０の曲面をなす翼３２Ａの一部に凸部３２Ｋが形成される。これによっても、表面被覆部３２と裏面当接部３３は、各縁材１０を表面１２の側と裏面１３の側とから挟持し、壁面１に垂直をなす水平方向と、壁面１に沿う鉛直方向の２方向でのそれらの縁材１０に対する動きを規制するものになる。
【００５１】
コーナーカバー３０の施工手順は以下の通りになる。
(1)壁面１の出隅のコーナーで突き合わされる一対の縁材１０、１０のうち、一方の縁材１０が壁面１と天井面２の交差する位置に取付けられる。本実施例では、一方の縁材１０の裏面１３における裏面鉛直部１３Ａが壁面１に添設されて化粧釘や接着剤等で取付けられ、裏面１３における裏面水平部１３Ｂが天井面２に添設されて化粧釘や接着剤等で取付けられる。
【００５２】
(2)上述(1)の一方の縁材１０の端面１１に、コーナーカバー３０の本体部３１の一側面を当ててこれをテープ等で仮止めする。このとき、コーナーカバー３０の表面被覆部３２の翼３２Ａが上記一方の縁材１０の端面１１沿いの表面１２を被覆し、裏面当接部３３の羽根板３３Ａが上記一方の縁材１０の端面１１沿いの裏面１３における裏面傾斜部１３Ｃに当接する。
【００５３】
(3)上述(1)のコーナーカバー３０の裏面当接部３３に設けた羽根板３３Ａに、他方の縁材１０の裏面１３を添わせて、この他方の縁材１０を上述(2)の一方の縁材１０との突き合せ方向に誘導し、該他方の縁材１０の端面１１をコーナーカバー３０の本体部３１の他側面に当て該本体部３１に対する挟み込み位置に位置付ける。このとき、コーナーカバー３０の表面被覆部３２の翼３２Ａが上記他方の縁材１０の端面１１沿いの表面１２を被覆し、裏面当接部３３の羽根板３３Ａが上記他方の縁材１０の端面１１沿いの裏面１３における裏面傾斜部１３Ｃに当接する。これにより、両縁材１０、１０の端面１１同士の突き合せ間隙Ｇにコーナーカバー３０の本体部３１を挟み込み保持し、前述の突き合せ間隙Ｇを看者の目から隠すものになる。
【００５４】
(4)上述(3)の他方の縁材１０が壁面１と天井面２の交差する位置に取付けられる。本実施例では、他方の縁材１０の裏面１３における裏面鉛直部１３Ａが壁面１に添設されて化粧釘や接着剤等で取付けられ、裏面１３における裏面水平部１３Ｂが天井面１２に添設されて化粧釘や接着剤等で取付けられる。
【００５５】
本実施例によれば以下の作用効果を奏する。
(a)コーナーカバー３０は、本体部３１に表面被覆部３２と裏面当接部３３とを接合して構成され、表面被覆部３２と裏面当接部３３が、各縁材１０を表面１２の側と裏面１３の側とから挟持し、壁面に垂直をなす水平方向と、壁面に沿う鉛直方向の二方向でのそれらの縁材１０に対する動きを規制する。従って、コーナーカバー３０は、縁材１０の表面１２に格別の脱落防止用凹溝等を設けることのない簡易な構成により、縁材１０の表面１２側から外方（水平方向及び鉛直方向を含むあらゆる方向）への剥離、ひいては脱落を完全に防止できる。
【００５６】
(b)コーナーカバー３０の裏面当接部３３が、各縁材１０の裏面１３で壁面に対して斜交配置される裏面傾斜部１３Ｃに当接し、各縁材１０の表面１２に被着される表面被覆部３２との間で該縁材１０を挟持する。裏面当接部３３は、単純な構造によって、各縁材１０の裏面傾斜部１３Ｃに水平方向と鉛直方向で当接するものになり、表面被覆部３２との協働下で、水平方向と鉛直方向の２方向の動きを規制するようにそれらの縁材１０を挟持する。
【００５７】
(c)コーナーカバー３０の表面被覆部３２が、各縁材１０の長手方向に連続する曲面状の表面１２に被着される曲面を備える。表面被覆部３２は、単純な構造によって、各縁材１０の曲面状の表面１２に水平方向と鉛直方向で係合するにものになり、裏面当接部３３との協働下で、水平方向と鉛直方向の２方向の動きを規制するようにそれらの縁材１０を挟持する。
【００５８】
(d)コーナーカバー３０の表面被覆部３２が、各縁材１０の表面１２に設けた凹部１２Ｋに係合する凸部３２Ｋを備え、それらの縁材１０の表面１２に被着される。表面被覆部３２は、単純な構造によって、各縁材１０の表面１２に設けた凹部１２Ｋに水平方向と鉛直方向で係合するにものになり、裏面当接部３３との協働下で、水平方向と鉛直方向の２方向の動きを規制するようにそれらの縁材１０を挟持する。
【００５９】
（実施例３）（図１１〜図１５）
図１１、図１２は、壁面１の入隅のコーナーで、一対の廻り縁である縁材１１０、１１０の端面１１１同士の突き合せ間隙Ｇを入隅用コーナーカバー１２０により被覆した施工構造を示し、図１２は一方の縁材１１０を取外して示したものである。図１２において、１は壁面、２は天井面を示し、壁面１と天井面２の交差する位置には、縁材１１０が少なくとも壁面１又は天井面２に化粧釘や接着剤等で取付けられる。
【００６０】
縁材１１０は、プラスチック等から形成され、図１３に示す如くの長尺状をなす。縁材１１０は、長手方向に対して45度に切断された端面１１１を備え、一対の縁材１１０、１１０の端面１１１同士が間隙を介して突き合され、壁面１や天井面２に取付けられる。縁材１１０の表面１１２は、長手方向に連続する広幅平面部１１２Ａを備えるとともに、該広幅平面部１１２Ａの幅方向中間部で長手方向に連続する凹部１１２Ｋを備える。縁材１１０の裏面１１３は、壁面１に添設される裏面鉛直部１１３Ａと、天井面２に添設される裏面水平部１１３Ｂと、裏面鉛直部１１３Ａと裏面水平部１１３Ｂの間で壁面１に対して例えば45度をなすように斜交配置される裏面傾斜部１１３Ｃとを備える。
【００６１】
コーナーカバー１２０は、図１１〜図１５に示す如く、本体部１２１と表面被覆部１２２と裏面当接部１２３とを有して構成される。
【００６２】
コーナーカバー１２０の本体部１２１は、一対の縁材１１０、１１０の端面１１１同士の上記突き合せ間隙Ｇに挟み込まれる薄板状をなす。本体部１２１は、それらの縁材１１０、１１０の室内に臨む表面１１２の側に位置する表面側（室内側）から、壁面１に相対する裏面１１３の側に位置する裏面側（反室内側）に向けて延在される。コーナーカバー１２０は、本体部１２１の一側面を一方の縁材１１０の端面１１１に当て、本体部１２１の他側面を他方の縁材１１０の端面１１１に当てて、それらの縁材１１０、１１０の端面１１１同士の突き合せ間隙Ｇに挟み込まれるものになる。コーナーカバー１２０は、施工性向上のために、本体部１２１の両側面のそれぞれに入隅用であることを示す「入」の文字が表記され、上方を示す矢印が表記される。
【００６３】
コーナーカバー１２０の表面被覆部１２２は、本体部１２１の表面側（室内側）において、縁材１１０の表面１１２に倣う該本体部１２１の外縁部に接合され、該本体部１２１の外縁部の全域で該本体部１２１の両側面のそれぞれに135度の交差角をなして外方に張り出る翼１２２Ａを備える。このとき、表面被覆部１２２の翼１２２Ａは、各縁材１１０の長手方向に連続する表面１１２に被着される表面被覆部１２２の翼１２２Ａは、各縁材１１０の表面１１２（広幅平面部１１２Ａ）の長手方向に連続するように設けた凹部１１２Ｋに係合する凸部１２２Ｋを備える。これにより、表面被覆部１２２は、本体部１２１が一対の縁材１１０、１１０の端面１１１同士の突き合せ間隙Ｇに前述の如くに挟み込まれた状態で、一方の翼１２２Ａにより一方の縁材１１０の端面１１１沿いの表面１１２を被覆し、他方の翼１２２Ａにより他方の縁材１１０の端面１１１沿いの表面１１２を被覆し、結果として上述の突き合せ間隙Ｇを看者の目から隠す。
【００６４】
コーナーカバー１２０の裏面当接部１２３は、本体部１２１の裏面側（反室内側）において、縁材１１０の裏面１１３Ｃに倣う該本体部１２１の外縁部に接合される。本実施例では、コーナーカバー１２０の裏面当接部１２３が、本体部１２１の裏面側（反室内側）において、縁材１１０の裏面１１３における裏面傾斜部１１３Ｃに倣う該本体部１２１の傾斜状外縁部に接合され、該傾斜状外縁部から該本体部１２１の両側面のそれぞれに45度の交差角をなして外方に大きく張り出る羽根板１２３Ａを備える。即ち、裏面当接部１２３は、各縁材１１０の裏面１１３で壁面１に対して斜交配置される裏面傾斜部１１３Ｃに羽根板１２３Ａを当接させ、各縁材１１０の表面１１２に被着される表面被覆部１２２との間で該縁材１１０を挟持する。これにより、裏面当接部１２３は、本体部１２１が一対の縁材１１０、１１０の端面１１１同士の突き合せ間隙Ｇに前述の如くに挟み込まれた状態で、壁面１と天井面２の交差する位置に取付けられた一対の縁材１１０、１１０の裏面１１３と壁面１との間に配置され、各縁材１１０の裏面１１３における端面１１１沿いの裏面傾斜部１１３Ｃに当接する。
【００６５】
従って、コーナーカバー１２０は、本体部１２１が一対の縁材１１０、１１０の端面１１１同士の突き合せ間隙Ｇに前述の如くに挟み込まれた状態で、表面被覆部１２２と裏面当接部１２３が、各縁材１１０を表面１１２の側と裏面１１３の側とから挟持し、壁面１に垂直をなす水平方向と、壁面１に沿う鉛直方向の２方向でのそれらの縁材１１０に対する動きを規制する。
【００６６】
更に、コーナーカバー１２０にあっては、裏面当接部１２３が、図１５に示す如く、各縁材１１０をそれらの相対する他方の縁材１１０との突き合せ方向Ｐに誘導し、該縁材１１０の端面１１１を本体部１２１に対する挟み込み位置に位置付ける複数条のリブ状ガイド部１２４を羽根板１２３Ａに備える。リブ状ガイド部１２４は、縁材１１０の突き合せ端面１１１を誘導開始する先端面を上記突き合せ方向Ｐの反対方向に向けて拡開する斜め面取部１２４Ａを備え、縁材１１０を誘導容易とすることができる（斜め面取部１２４Ａが羽根板１２３Ａに対し鋭角をなす）。
【００６７】
コーナーカバー１２０の施工手順は以下の通りになる。
(1)壁面１の入隅のコーナーで突き合わされる一対の縁材１１０、１１０のうち、一方の縁材１１０が壁面１と天井面２の交差する位置に取付けられる。本実施例では、一方の縁材１１０の裏面１１３における裏面鉛直部１１３Ａが壁面１に添設されて化粧釘や接着剤等で取付けられ、裏面１１３における裏面水平部１１３Ｂが天井面２に添設されて化粧釘や接着剤等で取付けられる。
【００６８】
(2)上述(1)の一方の縁材１１０の端面１１１に、コーナーカバー１２０の本体部１２１の一側面を当ててこれをテープ等で仮止めする。このとき、コーナーカバー１２０の表面被覆部１２２の翼１２２Ａが上記一方の縁材１１０の端面１１１沿いの表面１１２を被覆し、裏面当接部１２３の羽根板１２３Ａが上記一方の縁材１１０の端面１１１沿いの裏面１１３における裏面傾斜部１１３Ｃに当接する。
【００６９】
(3)上述(1)のコーナーカバー１２０の裏面当接部１２３に設けたリブ状ガイド部１２４に、他方の縁材１１０の裏面１１３を添わせて、この他方の縁材１１０を上述(2)の一方の縁材１１０との突き合せ方向に誘導し、該他方の縁材１１０の端面１１１をコーナーカバー１２０の本体部１２１の他側面に当て該本体部１２１に対する挟み込み位置に位置付ける。このとき、コーナーカバー１２０の表面被覆部１２２の翼１２２Ａが上記他方の縁材１１０の端面１１１沿いの表面１１２を被覆し、裏面当接部１２３の羽根板１２３Ａが上記他方の縁材１１０の端面１１１沿いの裏面１１３における裏面傾斜部１１３Ｃに当接する。これにより、両縁材１１０、１１０の端面１１１同士の突き合せ間隙Ｇにコーナーカバー１２０の本体部１２１を挟み込み保持し、前述の突き合せ間隙Ｇを看者の目から隠すものになる。
【００７０】
(4)上述(3)の他方の縁材１１０が壁面１と天井面２の交差する位置に取付けられる。本実施例では、他方の縁材１１０の裏面１１３における裏面鉛直部１１３Ａが壁面１に添設されて化粧釘や接着剤等で取付けられ、裏面１１３における裏面水平部１１３Ｂが天井面１１２に添設されて化粧釘や接着剤等で取付けられる。
【００７１】
本実施例によれば以下の作用効果を奏する。
(a)コーナーカバー１２０は、本体部１２１に表面被覆部１２２と裏面当接部１２３とを接合して構成され、表面被覆部１２２と裏面当接部１２３が、各縁材１１０を表面１１２の側と裏面１１３の側とから挟持し、壁面に垂直をなす水平方向と、壁面に沿う鉛直方向の二方向でのそれらの縁材１１０に対する動きを規制する。従って、コーナーカバー１２０は、縁材１１０の表面１１２に格別の脱落防止用凹溝等を設けることのない簡易な構成により、縁材１１０の表面１１２側から外方（水平方向及び鉛直方向を含むあらゆる方向）への剥離、ひいては脱落を完全に防止できる。
【００７２】
(b)コーナーカバー１２０の裏面当接部１２３が、各縁材１１０の裏面１１３で壁面に対して斜交配置される裏面傾斜部１１３Ｃに当接し、各縁材１１０の表面１１２に被着される表面被覆部１２２との間で該縁材１１０を挟持する。裏面当接部１２３は、単純な構造によって、各縁材１１０の裏面傾斜部１１３Ｃに水平方向と鉛直方向で当接するものになり、表面被覆部１２２との協働下で、水平方向と鉛直方向の２方向の動きを規制するようにそれらの縁材１１０を挟持する。
【００７３】
(c)コーナーカバー１２０の表面被覆部１２２が、各縁材１１０の表面１１２に設けた凹部１１２Ｋに係合する凸部１２２Ｋを備え、それらの縁材１１０の表面１１２に被着される。表面被覆部２２は、単純な構造によって、各縁材１１０の表面１１２に設けた凹部１１２Ｋに水平方向と鉛直方向で係合するにものになり、裏面当接部１２３との協働下で、水平方向と鉛直方向の２方向の動きを規制するようにそれらの縁材１１０を挟持する。
【００７４】
(d)コーナーカバー１２０の裏面当接部１２３が、各縁材１１０をそれらの相対する他方の縁材１０との突き合せ方向に誘導し、該縁材１１０の端面を前記本体部１２１に対する挟み込み位置に位置付けるガイド部１２４を備える。一対の縁材１１０の突き合せ部にコーナーカバー１２０を組付ける際に、一方の縁材１１０の端面にコーナーカバー１２０の本体部１２１の一側面を当ててこれをテープ等で仮止めしてから、このコーナーカバー１２０の裏面当接部１２３に設けたガイド部１２４により他方の縁材１１０の裏面１１３を沿わせて該縁材１１０を上記突き合せ部にスムースに誘導できる。これにより、他方の縁材１１０の端面をコーナーカバー１２０の本体部１２１の他側面に当て、それらの両縁材１１０の端面同士の間隙（突き合せ間隙Ｇ）に該本体部１２１を挟み込み保持し得るものになる。
【００７５】
（実施例４）（図１６〜図１９）
実施例４は、実施例３におけると同一の縁材１１０（端面１１１、表面１１２、広幅平面部１１２Ａ、凹部１１２Ｋ、裏面１１３、裏面鉛直部１１３Ａ、裏面水平部１１３Ｂ、裏面傾斜部１１３Ｃを備える）を用いた壁面１の出隅のコーナーに、出隅用コーナーカバー１３０を用いたことにある。
【００７６】
図１６、図１７は、壁面１の出隅のコーナーで、一対の廻り縁である縁材１１０、１１０の端面１１１同士の突き合せ間隙Ｇを出隅用コーナーカバー１３０により被覆した施工構造を示し、図１７は一方の縁材１１０を取外して示したものである。図１７において、１は壁面、２は天井面を示し、壁面１と天井面２の交差する位置には、縁材１１０が少なくとも壁面１又は天井面２に化粧釘や接着剤等で取付けられる。
【００７７】
コーナーカバー１３０は、図１６〜図１９に示す如く、本体部１３１と表面被覆部１３２と裏面当接部１３３とを有して構成される。
【００７８】
コーナーカバー１３０の本体部１３１は、一対の縁材１１０、１１０の端面１１１同士の上記突き合せ間隙Ｇに挟み込まれる薄板状をなす。本体部１３１は、それらの縁材１１０、１１０の室内に臨む表面１１２の側に位置する表面側（室内側）から、壁面１に相対する裏面１１３の側に位置する裏面側（反室内側）に向けて延在される。コーナーカバー１３０は、本体部１３１の一側面を一方の縁材１１０の端面１１１に当て、本体部１３１の他側面を他方の縁材１１０の端面１１１に当てて、それらの縁材１１０、１１０の端面１１１同士の突き合せ間隙Ｇに挟み込まれるものになる。コーナーカバー１３０は、施工性向上のために、本体部１３１の両側面のそれぞれに出隅用であることを示す「出」の文字が表記され、上方を示す矢印が表記される。
【００７９】
コーナーカバー１３０の表面被覆部１３２は、本体部１３１の表面側（室内側）において、縁材１１０の表面１１２に倣う該本体部１３１の外縁部に接合され、該本体部１３１の外縁部の全域で該本体部１３１の両側面のそれぞれに45度の交差角をなして外方に張り出る翼１３２Ａを備える。このとき、表面被覆部１３２の翼１３２Ａは、各縁材１１０の長手方向に連続する表面１１２に被着される表面被覆部１３２の翼１３２Ａは、各縁材１１０の表面１１２（広幅平面部１１２Ａ）の長手方向に連続するように設けた凹部１１２Ｋに係合する凸部１３２Ｋを備える。これにより、表面被覆部１３２は、本体部１３１が一対の縁材１１０、１１０の端面１１１同士の突き合せ間隙Ｇに前述の如くに挟み込まれた状態で、一方の翼１３２Ａにより一方の縁材１１０の端面１１１沿いの表面１１２を被覆し、他方の翼１３２Ａにより他方の縁材１１０の端面１１１沿いの表面１１２を被覆し、結果として上述の突き合せ間隙Ｇを看者の目から隠す。
【００８０】
コーナーカバー１３０の裏面当接部１３３は、本体部１３１の裏面側（反室内側）において、縁材１１０の裏面１１３に倣う該本体部１３１の外縁部に接合される。本実施例では、コーナーカバー１３０の裏面当接部１３３が、本体部１３１の裏面側（反室内側）において、縁材１１０の裏面１１３における裏面傾斜部１１３Ｃに倣う該本体部１３１の傾斜状外縁部に接合され、該傾斜状外縁部から該本体部１３１の両側面のそれぞれに135度の交差角をなして外方に大きく張り出る羽根板１３３Ａを備える。即ち、裏面当接部１３３は、各縁材１１０の裏面１１３で壁面１に対して斜交配置される裏面傾斜部１１３Ｃに羽根板１３３Ａを当接させ、各縁材１１０の表面１１２に被着される表面被覆部１３２との間で該縁材１１０を挟持する。これにより、裏面当接部１３３は、本体部１３１が一対の縁材１１０、１１０の端面１１１同士の突き合せ間隙Ｇに前述の如くに挟み込まれた状態で、壁面１と天井面２の交差する位置に取付けられた一対の縁材１１０、１１０の裏面１１３と壁面１との間に配置され、各縁材１１０の裏面１１３における端面１１１沿いの裏面傾斜部１１３Ｃに当接する。
【００８１】
従って、コーナーカバー１３０は、本体部１３１が一対の縁材１１０、１１０の端面１１１同士の突き合せ間隙Ｇに前述の如くに挟み込まれた状態で、表面被覆部１３２と裏面当接部１３３が、各縁材１１０を表面１１２の側と裏面１１３の側とから挟持し、壁面１に垂直をなす水平方向と、壁面１に沿う鉛直方向の２方向でのそれらの縁材１１０に対する動きを規制する。
【００８２】
コーナーカバー１３０の施工手順は以下の通りになる。
(1)壁面１の出隅のコーナーで突き合わされる一対の縁材１１０、１１０のうち、一方の縁材１１０が壁面１と天井面２の交差する位置に取付けられる。本実施例では、一方の縁材１１０の裏面１１３における裏面鉛直部１１３Ａが壁面１に添設されて化粧釘や接着剤等で取付けられ、裏面１１３における裏面水平部１１３Ｂが天井面２に添設されて化粧釘や接着剤等で取付けられる。
【００８３】
(2)上述(1)の一方の縁材１１０の端面１１１に、コーナーカバー１３０の本体部１３１の一側面を当ててこれをテープ等で仮止めする。このとき、コーナーカバー１３０の表面被覆部１３２の翼１３２Ａが上記一方の縁材１１０の端面１１１沿いの表面１１２を被覆し、裏面当接部１３３の羽根板１３３Ａが上記一方の縁材１１０の端面１１１沿いの裏面１１３における裏面傾斜部１１３Ｃに当接する。
【００８４】
(3)上述(1)のコーナーカバー１３０の裏面当接部１３３に設けた羽根板１３３Ａに、他方の縁材１１０の裏面１１３を添わせて、この他方の縁材１１０を上述(2)の一方の縁材１１０との突き合せ方向に誘導し、該他方の縁材１１０の端面１１１をコーナーカバー１３０の本体部１３１の他側面に当て該本体部１３１に対する挟み込み位置に位置付ける。このとき、コーナーカバー１３０の表面被覆部１３２の翼１３２Ａが上記他方の縁材１１０の端面１１１沿いの表面１２を被覆し、裏面当接部１３３の羽根板３３Ａが上記他方の縁材１１０の端面１１１沿いの裏面１１３における裏面傾斜部１１３Ｃに当接する。これにより、両縁材１１０、１１０の端面１１１同士の突き合せ間隙Ｇにコーナーカバー１３０の本体部１３１を挟み込み保持し、前述の突き合せ間隙Ｇを看者の目から隠すものになる。
【００８５】
(4)上述(3)の他方の縁材１１０が壁面１と天井面２の交差する位置に取付けられる。本実施例では、他方の縁材１１０の裏面１１３における裏面鉛直部１１３Ａが壁面１に添設されて化粧釘や接着剤等で取付けられ、裏面１１３における裏面水平部１１３Ｂが天井面１１２に添設されて化粧釘や接着剤等で取付けられる。
【００８６】
本実施例によれば以下の作用効果を奏する。
(a)コーナーカバー１３０は、本体部１３１に表面被覆部１３２と裏面当接部１３３とを接合して構成され、表面被覆部３１２と裏面当接部１３３が、各縁材１１０を表面１１２の側と裏面１１３の側とから挟持し、壁面に垂直をなす水平方向と、壁面に沿う鉛直方向の二方向でのそれらの縁材１１０に対する動きを規制する。従って、コーナーカバー１３０は、縁材１１０の表面１１２に格別の脱落防止用凹溝等を設けることのない簡易な構成により、縁材１１０の表面１１２側から外方（水平方向及び鉛直方向を含むあらゆる方向）への剥離、ひいては脱落を完全に防止できる。
【００８７】
(b)コーナーカバー１３０の裏面当接部１３３が、各縁材１１０の裏面１１３で壁面に対して斜交配置される裏面傾斜部１１３Ｃに当接し、各縁材１１０の表面１１２に被着される表面被覆部１３２との間で該縁材１１０を挟持する。裏面当接部１３３は、単純な構造によって、各縁材１１０の裏面傾斜部１１３Ｃに水平方向と鉛直方向で当接するものになり、表面被覆部１３２との協働下で、水平方向と鉛直方向の２方向の動きを規制するようにそれらの縁材１１０を挟持する。
【００８８】
(c)コーナーカバー１３０の表面被覆部１３２が、各縁材１１０の表面１１２に設けた凹部１１２Ｋに係合する凸部１３２Ｋを備え、それらの縁材１１０の表面１１２に被着される。表面被覆部１３２は、単純な構造によって、各縁材１１０の表面１１２に設けた凹部１１２Ｋに水平方向と鉛直方向で係合するにものになり、裏面当接部１３３との協働下で、水平方向と鉛直方向の２方向の動きを規制するようにそれらの縁材１１０を挟持する。
【００８９】
（実施例５）（図２０〜図２８）
実施例５は、実施例２の変形例であり、図２０、図２７、図２８に示す如く、実施例２と同一の縁材１０（端面１１、表面１２、裏面１３、裏面鉛直部１３Ａ、裏面水平部１３Ｂ、裏面傾斜部１３Ｃを備える）を壁面１の出隅の面取りコーナーに適用するときに、実施例２の出隅用コーナーカバー３０に代わる出隅用コーナーカバー３０Ｋを用いたものである。
【００９０】
壁面１の出隅の面取りコーナーは、居住者が該コーナーに衝突したときの安全を図るため、直角に交差する壁面１のそれぞれに対して例えば45度の面取り角度をなす面取り部１Ａを備えている（図２７（Ｃ））。このため、一対の縁材１０の端面同士が壁面１の出隅の面取りコーナーで突き合わされたときには、各縁材１０の裏面鉛直部１３Ａが直線状をなして上記面取りコーナーの面取り部１Ａの面前にて直角に交差し、各縁材１０の直線状の裏面鉛直部１３Ａが上記面取りコーナーの面取り部１Ａとの間に、該面取り部１Ａに沿う鉛直方向視で三角状の空洞部３を形成する。
【００９１】
出隅用コーナーカバー３０Ｋは、図２１〜図２６に示す如く、出隅用コーナーカバー３０におけると同様の本体部３１と表面被覆部３２と裏面当接部３３を有することに加え、空洞塞ぎ部３４を有して構成される。
【００９２】
出隅用コーナーカバー３０Ｋの空洞塞ぎ部３４は、本体部３１の裏面側（反室内側）において、縁材１０の裏面１３に倣う該本体部３１の外縁部に接合される。出隅用コーナーカバー３０Ｋの空洞塞ぎ部３４は、本体部３１の裏面側（反室内側）において、縁材１０の裏面１３における裏面鉛直部１３Ａに倣う該本体部３１の鉛直状外縁部に接合される三角状羽根板３４Ａを備え、各縁材１０の裏面鉛直部１３Ａが壁面１における上記面取りコーナーの面取り部１Ａとの間に形成する空洞部３を、該面取り部１Ａに沿う鉛直方向視で塞ぐ。
【００９３】
本実施例の空洞塞ぎ部３４は、本体部３１の鉛直状外縁部に直交する水平面上に直角三角形状の上記三角状羽根板３４Ａを延在させ、本体部３１の鉛直状外縁部に沿う方向視（図２３、図２４）で該三角状羽根板３４Ａの頂部を該鉛直状外縁部の下端側の一部に接合し、該三角状羽根板３４Ａの頂部に交差する両側辺を該本体部３１の両側面のそれぞれに135度の交差角をなして外方に張り出し、それらの側辺を壁面１の上記面取り部１Ａとの間で空洞部３を形成する各縁材１０の裏面鉛直部１３Ａに隙間なく当接可能にするとともに、該三角状羽根板３４Ａの頂部に相対する底辺を壁面１の上記面取り部１Ａに隙間なく当接させ得ることとしている。これにより、一対の縁材１０の端面１１同士の突き合せ間隙に挟み込み保持されたコーナーカバー３０Ｋがそれらの縁材１０とともに壁面１の出隅の面取りコーナーの面取り部１Ａの面前に添設されて取付けられるとき、空洞塞ぎ部３４の三角状羽根板３４Ａは各縁材１０の裏面鉛直部１３Ａが面取り部１Ａとの間に形成する空洞部３を前述の如くに塞ぐものになる。
【００９４】
本実施例の空洞塞ぎ部３４は、更に、本体部３１の前述の鉛直状外縁部の下端側の一部からその同一鉛直面上に延在させた三角形状の中央リブＬ1を三角状羽根板３４Ａの上面に起立させて備えるともに、三角状羽根板３４Ａの両側辺の上に起立させた矩形状の両側リブＬ2の一端を中央リブＬ1とともに本体部３１の上記鉛直状外縁部の下端側の一部にて会合させるように接合している。これらのリブＬ1、Ｌ2により、本体部３１に支持される三角状羽根板３４Ａの補強がなされる。
【００９５】
従って、本実施例によれば、実施例２の前述した(a)〜(d)の作用効果に加え、以下の作用効果を奏する。
【００９６】
コーナーカバー３０Ｋが本体部３１に支持される空洞塞ぎ部３４を有する。これにより、一対の縁材１０の突き合せ間隙にコーナーカバー３０Ｋを設けるだけで直ちに、このコーナーカバー３０Ｋが有する空洞塞ぎ部３４により、各縁材１０の裏面１３が壁面１における面取りコーナーの面取り部１Ａとの間に形成する空洞部３を簡易に塞ぐものになる。従って、縁材１０である廻り縁を壁面１に沿う下方から上方に見上げたり、縁材１０である幅木を壁面１に沿う上方から下方に見下ろすとき、図２７（Ａ）、図２８（Ａ）に示す如く、上記の空洞部３はコーナーカバー３０Ｋの空洞塞ぎ部３４によって塞がれていて、該空洞部３がコーナーカバー３０Ｋの裏側にて天井面又は床面の側にまで深く延在して見える如くがない。これにより、そのような深い空洞部３の存在が覗き見えるものになって居室の美観を損なうことがないし、そのような深い空洞部３が塵埃等の異物の侵入カ所になって居室の環境を損なうこともない。
【００９７】
尚、図２７（Ｂ）、図２８（Ｂ）は、実施例２のコーナーカバー３０を用いた場合に、縁材１０が壁面１の出隅のコーナーとの間に形成する空洞部３を塞ぐことができず、空洞部３が外方に奥深くまで開放されてしまう状況を示している。
【００９８】
（実施例６）（図２９〜図３７）
実施例６は、実施例４の変形例であり、図２９、図３６、図３７に示す如く、実施例４と同一の縁材１１０（端面１１１、表面１１２、広幅平面部１１２Ａ、凹部１１２Ｋ、裏面１１３、裏面鉛直部１１３Ａ、裏面水平部１１３Ｂ、裏面傾斜部１１３Ｃを備える）を壁面１の出隅の面取りコーナーに適用するときに、実施例４の出隅用コーナーカバー１３０に代わる出隅用コーナーカバー１３０Ｋを用いたものである。
【００９９】
壁面１の出隅の面取りコーナーは、居住者が該コーナーに衝突したときの安全を図るため、直角に交差する壁面１のそれぞれに対して例えば45度の面取り角度をなす面取り部１Ａを備えている（図３６（Ｃ））。このため、一対の縁材１１０の端面同士が壁面１の出隅の面取りコーナーで突き合わされたときには、各縁材１１０の裏面鉛直部１１３Ａが直線状をなして上記面取りコーナーの面取り部１Ａの面前にて直角に交差し、各縁材１１０の直線状の裏面鉛直部１１３Ａが上記面取りコーナーの面取り部１Ａとの間に、該面取り部１Ａに沿う鉛直方向視で三角状の空洞部３を形成する。
【０１００】
出隅用コーナーカバー１３０Ｋは、図３０〜図３５に示す如く、出隅用コーナーカバー１３０におけると同様の本体部１３１と表面被覆部１３２と裏面当接部１３３を有することに加え、空洞塞ぎ部１３４を有して構成される。
【０１０１】
出隅用コーナーカバー１３０Ｋの空洞塞ぎ部１３４は、本体部１３１の裏面側（反室内側）において、縁材１１０の裏面１１３に倣う該本体部１３１の外縁部に接合される。出隅用コーナーカバー１３０Ｋの空洞塞ぎ部１３４は、本体部１３１の裏面側（反室内側）において、縁材１１０の裏面１１３における裏面鉛直部１１３Ａに倣う該本体部１３１の鉛直状外縁部に接合される三角状羽根板１３４Ａを備え、各縁材１１０の裏面鉛直部１１３Ａが壁面１における上記面取りコーナーの面取り部１Ａとの間に形成する空洞部３を、該面取り部１Ａに沿う鉛直方向視で塞ぐ。
【０１０２】
本実施例の空洞塞ぎ部１３４は、本体部１３１の鉛直状外縁部に直交する水平面上に直角三角形状の上記三角状羽根板１３４Ａを延在させ、本体部１３１の鉛直状外縁部に沿う方向視（図３２、図３３）で該三角状羽根板１３４Ａの頂部を該鉛直状外縁部の下端側の一部に接合し、該三角状羽根板１３４Ａの頂部に交差する両側辺を該本体部１３１の両側面のそれぞれに135度の交差角をなして外方に張り出し、それらの側辺を壁面１の上記面取り部１Ａとの間で空洞部３を形成する各縁材１１０の裏面鉛直部１１３Ａに隙間なく当接可能にするとともに、該三角状羽根板１３４Ａの頂部に相対する底辺を壁面１の上記面取り部１Ａに隙間なく当接させ得ることとしている。これにより、一対の縁材１１０の端面１１１同士の突き合せ間隙に挟み込み保持されたコーナーカバー１３０Ｋがそれらの縁材１１０とともに壁面１の出隅の面取りコーナーの面取り部１Ａの面前に添設されて取付けられるとき、空洞塞ぎ部１３４の三角状羽根板１３４Ａは各縁材１１０の裏面鉛直部１１３Ａが面取り部１Ａとの間に形成する空洞部３を前述の如くに塞ぐものになる。
【０１０３】
本実施例の空洞塞ぎ部１３４は、更に、本体部１３１の前述の鉛直状外縁部の下端側の一部からその同一鉛直面上に延在させた三角形状の中央リブＬ1を三角状羽根板１３４Ａの上面に起立させて備えるともに、三角状羽根板１３４Ａの両側辺の上に起立させた矩形状の両側リブＬ2の一端を中央リブＬ1とともに本体部１３１の上記鉛直状外縁部の下端側の一部にて会合させるように接合している。これらのリブＬ1、Ｌ2により、本体部１３１に支持される三角状羽根板１３４Ａの補強がなされる。
【０１０４】
従って、本実施例によれば、実施例４の前述した(a)〜(c)の作用効果に加え、以下の作用効果を奏する。
【０１０５】
コーナーカバー１３０Ｋが本体部１３１に支持される空洞塞ぎ部１３４を有する。これにより、一対の縁材１１０の突き合せ間隙にコーナーカバー１３０Ｋを設けるだけで直ちに、このコーナーカバー１３０Ｋが有する空洞塞ぎ部１３４により、各縁材１１０の裏面１１３が壁面１における面取りコーナーの面取り部１Ａとの間に形成する空洞部３を簡易に塞ぐものになる。従って、縁材１１０である廻り縁を壁面１に沿う下方から上方に見上げたり、縁材１１０である幅木を壁面１に沿う上方から下方に見下ろすとき、図３６（Ａ）、図３７（Ａ）に示す如く、上記の空洞部３はコーナーカバー１３０Ｋの空洞塞ぎ部１３４によって塞がれていて、該空洞部３がコーナーカバー１３０Ｋの裏側にて天井面又は床面の側にまで深く延在して見える如くがない。これにより、そのような深い空洞部３の存在が覗き見えるものになって居室の美観を損なうことがないし、そのような深い空洞部３が塵埃等の異物の侵入カ所になって居室の環境を損なうこともない。
【０１０６】
尚、図３６（Ｂ）、図３７（Ｂ）は、実施例４のコーナーカバー１３０を用いた場合に、縁材１１０が壁面１の出隅のコーナーとの間に形成する空洞部３を塞ぐことができず、空洞部３が外方に奥深くまで開放されてしまう状況を示している。
【０１０７】
以上、本発明の実施例を図面により詳述したが、本発明の具体的な構成はこの実施例に限られるものではなく、本発明の要旨を逸脱しない範囲の設計の変更等があっても本発明に含まれる。例えば、前記入隅用コーナーカバー２０、１２０、及び出隅用コーナーカバー３０、１３０、３０Ｋ、１３０Ｋが適用される本発明の縁材は、廻り縁に限らず、幅木であっても良い。
【産業上の利用可能性】
【０１０８】
本発明は、壁面の入隅又は出隅のコーナーで、一対の廻り縁又は幅木である縁材の端面同士の突き合わせ間隙を覆うコーナーカバーにおいて、一対の縁材の端面同士の上記間隙に挟み込まれ、それらの縁材の室内に臨む表面の側から壁面に対する裏面の側に向けて延在される本体部と、本体部から延在し、一対の縁材の表面を被覆する表面被覆部と、本体部から延在し、各縁材の裏面と壁面との間に配置され、各縁材の裏面に当接する裏面当接部とを有し、表面被覆部と裏面当接部が、各縁材を表面の側と裏面の側とから挟持し、壁面に垂直をなす水平方向と、壁面に沿う鉛直方向の二方向でのそれらの縁材に対する動きを規制するものとした。これによれば、縁材から脱落することのないコーナーカバーを簡易に提供することができる。
【符号の説明】
【０１０９】
１  壁面
２  天井面
１０、１１０  縁材
１１、１１１  端面
１２、１１２  表面
１２Ｋ、１１２Ｋ  凹部
１３、１１３  裏面
１３Ｃ、１１３Ｃ  裏面傾斜部
２０、１２０  入隅用コーナーカバー
２１、１２１  本体部
２２、１２２  表面被覆部
２２Ｋ、１２２Ｋ  凸部
２３、１２３  裏面当接部
２４、１２４  ガイド部
３０、１３０  出隅用コーナーカバー
３０Ｋ、１３０Ｋ  出隅用コーナーカバー
３１、１３１  本体部
３２、１３２  表面被覆部
３２Ｋ、１３２Ｋ  凸部
３３、１３３  裏面当接部
３４、１３４  空洞塞ぎ部
【図１】
2015135037.tif 000003
【図２】
2015135037.tif 000004
【図３】
2015135037.tif 000005
【図４】
2015135037.tif 000006
【図５】
2015135037.tif 000007
【図６】
2015135037.tif 000008
【図７】
2015135037.tif 000009
【図８】
2015135037.tif 000010
【図９】
2015135037.tif 000011
【図１０】
2015135037.tif 000012
【図１１】
2015135037.tif 000013
【図１２】
2015135037.tif 000014
【図１３】
2015135037.tif 000015
【図１４】
2015135037.tif 000016
【図１５】
2015135037.tif 000017
【図１６】
2015135037.tif 000018
【図１７】
2015135037.tif 000019
【図１８】
2015135037.tif 000020
【図１９】
2015135037.tif 000021
【図２０】
2015135037.tif 000022
【図２１】
2015135037.tif 000023
【図２２】
2015135037.tif 000024
【図２３】
2015135037.tif 000025
【図２４】
2015135037.tif 000026
【図２５】
2015135037.tif 000027
【図２６】
2015135037.tif 000028
【図２７】
2015135037.tif 000029
【図２８】
2015135037.tif 000030
【図２９】
2015135037.tif 000031
【図３０】
2015135037.tif 000032
【図３１】
2015135037.tif 000033
【図３２】
2015135037.tif 000034
【図３３】
2015135037.tif 000035
【図３４】
2015135037.tif 000036
【図３５】
2015135037.tif 000037
【図３６】
2015135037.tif 000038
【図３７】
2015135037.tif 000039